(57)【要約】【課題】管理対象となる情報のデータ量を削減しつつ、管理対象となる情報を速やかに管理下におくことが可能なログ情報管理システム、ログ情報収集装置、ログ情報管理装置、ログ情報管理方法、ログ情報収集プログラム、記憶媒体を提供することを目的としている。【解決手段】ログ情報収集装置３００において収集された画像ログ情報から、抽出部３４０により、管理対象となり得る前記画像ログ情報の一部である部分情報を抽出する。また、ログ情報管理装置４００では、抽出部３４０により抽出された部分情報の中から、管理対象となる部分情報を選択部４３０により選択する。そして、ログ情報管理装置４００は、収集部４４０により、選択部４３０に選択された部分情報またはこの部分情報を含む画像ログ情報を収集して管理する。【選択図】図２
2007323593.tif 000002
【特許請求の範囲】
【請求項１】
画像形成装置により生成された画像ログ情報を収集するログ情報収集装置と、前記ログ情報収集装置が収集した前記画像ログ情報を管理するログ情報管理装置とからなるログ情報管理システムにおいて、
前記ログ情報収集装置は、収集した前記画像ログ情報から、第一の所定条件に基づき管理対象となる前記画像ログ情報の一部である部分情報を抽出する抽出手段を有し、
前記ログ情報管理装置は、前記抽出手段により抽出された前記部分情報から、第二の所定条件に基づき前記部分情報または該部分情報を含む画像ログ情報を選択する選択手段と、
前記選択手段により選択された前記部分情報または該部分情報を含む画像ログ情報を収集する収集手段を有することを特徴とするログ情報管理システム。
【請求項２】
前記第一及び第二の所定条件は、予め設定された条件であって、前記部分情報または該部分情報を含む画像ログ情報の重要度に関する条件であることを特徴とする請求項１記載のログ情報管理システム。
【請求項３】
前記ログ情報収集装置は、収集した前記部分情報を加工する加工手段を有し、
前記加工手段は、前記抽出手段により抽出された前記部分情報に対し、前記第一の所定条件に基づき前記部分情報の重要度を示す情報を付加し、
前記選択手段は、前記加工手段により前記重要度を示す情報が付加された前記部分情報から、前記重要度を示す情報に基づき前記部分情報または該部分情報を含む画像ログ情報を選択することを特徴とする請求項１または２に記載のログ情報管理システム。
【請求項４】
前記選択手段は、前記第二の所定条件が変更されたとき、変更された前記第二の所定条件に合致する前記部分情報を選択することを特徴とする請求項１ないし３のいずれか一項に記載のログ情報管理システム。
【請求項５】
前記加工手段は、前記抽出手段により抽出された前記部分情報または該部分情報を含む画像ログ情報に対し、前記部分情報が前記ログ情報管理装置に収集される収集期限を示す情報を付加し、
前記選択手段は、前記加工手段により付加された前記収集期限を示す情報に基づき前記部分情報または該部分情報を含む画像ログ情報を選択することを特徴とする請求項１ないし４のいずれか一項に記載のログ情報管理システム。
【請求項６】
前記選択手段は、前記加工手段により付加された前記収集期限を示す情報に基づき、前記収集期限が経過した前記部分情報または該部分情報を含む画像ログ情報を優先的に選択することを特徴とする請求項５に記載のログ情報管理システム。
【請求項７】
前記ログ情報管理装置は、所定の情報に基づき、前前記部分情報または該部分情報が含まれる画像ログ情報を収集する前記ログ情報収集装置の順序を決定することを特徴とする請求項１ないし６のいずれか一項に記載のログ情報管理システム。
【請求項８】
前記所定の情報は、前記ログ情報収集装置の装置状態に係る情報であることを特徴とする請求項７に記載のログ情報管理システム。
【請求項９】
画像形成装置により生成された画像ログ情報を収集するログ情報収集装置において、
収集した前記画像ログ情報から、所定条件に基づき管理対象となる前記画像ログ情報の一部である部分情報を抽出する抽出手段と、
前記所定条件は前記部分情報の重要度に関する条件であって、前記所定条件を設定する設定手段と、
前記抽出手段により抽出された前記部分情報に対し、前記設定手段により設定された前記所定条件に基づき前記部分情報の重要度を示す情報を付加する加工手段とを有することを特徴とするログ情報収集装置。
【請求項１０】
前記加工手段により付加された前記部分情報の重要度を示す情報に基づき、該部分情報を含む前記画像ログ情報の重要度を決定することを特徴とする請求項９に記載のログ情報収集装置。
【請求項１１】
ログ情報収集装置に収集された画像ログ情報を管理するログ情報管理装置において、
前記ログ情報収集装置に収集された前記画像ログ情報から抽出された、管理対象となる前記画像ログ情報の一部である部分情報または該部分情報を含む前記画像ログ情報の重要度に関する所定条件を設定する設定手段と、
前記部分情報または該部分情報を含む画像ログ情報から、前記所定条件に基づき前記部分情報または該部分情報を含む画像ログ情報を選択する選択手段と、
前記選択手段により選択された前記部分情報または該部分情報を含む画像ログ情報を収集する収集手段とを有することを特徴とするログ情報管理装置。
【請求項１２】
画像形成装置により生成された画像ログ情報を収集するログ情報収集装置と、前記ログ情報収集装置が収集した前記画像ログ情報を管理するログ情報管理装置とからなるログ情報管理システムにおけるログ情報管理方法において、
前記ログ情報収集装置による、収集した前記画像ログ情報から、第一の所定条件に基づき管理対象となる前記画像ログ情報の一部である前記部分情報を抽出する抽出手順と、
ログ情報管理装置による、前記抽出手段により抽出された前記部分情報から、第二の所定条件に基づき前記部分情報または該部分情報を含む画像ログ情報を選択する選択手順と、
ログ情報管理装置による、前記選択手順により選択された前記部分情報または該部分情報を含む画像ログ情報を収集する収集手順を有することを特徴とするログ情報管理方法。
【請求項１３】
画像形成装置により生成された画像ログ情報を収集するログ情報収集装置におけるログ情報収集プログラムであって、
コンピュータに、
収集した前記画像ログ情報から、所定条件に基づき管理対象となる前記画像ログ情報の一部である部分情報を抽出する抽出手順と、
前記所定条件は前記部分情報の重要度に関する条件であって、前記所定条件を設定する設定手順と、
前記抽出手順により抽出された前記部分情報に対し、前記所定条件に基づき前記部分情報の重要度を示す情報を付加する加工手順とを実行させることを特徴とするログ情報収集プログラム。
【請求項１４】
請求項１３に記載のログ情報収集プログラムを記憶したコンピュータ読み取り可能な記憶媒体。
【発明の詳細な説明】
【技術分野】
【０００１】
本発明は、ログ情報を収集し、管理するログ情報管理システム、ログ情報収集装置、ログ情報管理装置、ログ情報管理方法、ログ情報収集プログラム及び記憶媒体に関する。
【背景技術】
【０００２】
近年のログ情報管理において、印刷データのセキュリティを確保する目的で、ログ情報として一般の印刷装置で記録される情報に加えて、印刷データに相当する画像データを含めた画像ログ情報を残すことが求められている。そこで従来では、ログ情報収集装置がクライアントの印刷要求に基づき生成された印刷ログを、印刷される画像データと共に収集し、管理するシステムが開示されている。
【０００３】
特開２００３−３３０６７７号公報（特許文献１）には、クライアント側からの印刷データを全てサーバ経由で印刷して印刷ログを取得し、取得した印刷ログ及び印刷データを蓄積保管することにより、情報の漏洩が起こった際に追跡可能とする印刷データ管理システム、方法、プログラム及び記録媒体が開示されている。
【０００４】
特開２００２−１４９３７１号公報（特許文献２）には、印刷ログ及び印刷データを保存することにより、セキュリティを管理するセキュリティ管理システムが開示されている。
【特許文献１】特開２００３−３３０６７７号公報
【特許文献２】特開２００２−１４９３７１号公報
【発明の開示】
【発明が解決しようとする課題】
【０００５】
しかしながら、上記従来の技術では、画像ログ情報に画像データが含まれるため、管理対象となる情報のデータ量が大きくなり、その管理が困難となる。さらに、画像ログ情報のデータ量が大きい場合、システムの通信回線にかかる負荷が大きくなる。このため画像形成装置で生成された画像ログ情報は即時に管理装置であるサーバへ送信されず、通信回線が空いた時間に送信される。このため画像ログ情報を即時に管理装置の管理下におくことができず、情報漏洩が発生した場合にこれを検知するまでに時間がかかる。
【０００６】
本発明は、これらを鑑みて、上記従来の問題を解決すべくなされたものであり、管理対象となる情報のデータ量を削減しつつ、管理対象となる情報を速やかに管理下におくことが可能なログ情報管理システム、ログ情報収集装置、ログ情報管理装置、ログ情報管理方法、ログ情報収集プログラム、記憶媒体を提供することを目的としている。
【課題を解決するための手段】
【０００７】
本発明は、上記目的を達成するために、以下のような構成とした。
【０００８】
本発明のログ情報管理システムは、画像形成装置により生成された画像ログ情報を収集するログ情報収集装置と、前記ログ情報収集装置が収集した前記画像ログ情報を管理するログ情報管理装置とからなるログ情報管理システムにおいて、前記ログ情報収集装置は、収集した前記画像ログ情報から、第一の所定条件に基づき管理対象となる前記画像ログ情報の一部である部分情報を抽出する抽出手段を有し、前記ログ情報管理装置は、前記抽出手段により抽出された前記部分情報から、第二の所定条件に基づき前記部分情報または該部分情報を含む画像ログ情報を選択する選択手段と、前記選択手段により選択された前記部分情報または該部分情報を含む画像ログ情報を収集する収集手段を有する構成とすることができる。
【０００９】
係る構成によれば、管理対象となる情報のデータ量を削減しつつ、管理対象となる情報を速やかに管理下におくことが可能となる。
【００１０】
また、本発明の前記第一及び第二の所定条件は、予め設定された条件であって、前記部分情報または該部分情報を含む画像ログ情報の重要度に関する条件であっても良い。
【００１１】
係る構成によれば、前記第一及び第二の所定条件は、ユーザにより任意に設定することができる。
【００１２】
また、本発明の前記ログ情報収集装置は、収集した前記部分情報を加工する加工手段を有し、前記加工手段は、前記抽出手段により抽出された前記部分情報に対し、前記第一の所定条件に基づき前記部分情報の重要度を示す情報を付加し、前記選択手段は、前記加工手段により前記重要度を示す情報が付加された前記部分情報から、前記重要度を示す情報に基づき前記部分情報または該部分情報を含む画像ログ情報を選択する構成としても良い。
【００１３】
係る構成によれば、より重要な前記部分情報または該部分情報を含む画像ログ情報から順に前記ログ情報管理装置の管理下におくことができる。
【００１４】
また、本発明の前記選択手段は、前記第二の所定条件が変更されたとき、変更された前記第二の所定条件に合致する前記部分情報を選択する構成としても良い。
【００１５】
係る構成によれば、前記ログ情報管理装置において管理対象とされる前記部分情報または該部分情報を含む画像ログ情報に変更があった場合に、この変更に対応した前記部分情報または該部分情報を含む画像ログ情報が収集される。
【００１６】
また、本発明の前記加工手段は、前記抽出手段により抽出された前記部分情報または該部分情報を含む画像ログ情報に対し、前記部分情報が前記ログ情報管理装置に収集される収集期限を示す情報を付加し、前記選択手段は、前記加工手段により付加された前記収集期限を示す情報に基づき前記部分情報または該部分情報を含む画像ログ情報を選択する構成とすることができる。
【００１７】
また、本発明の前記選択手段は、前記加工手段により付加された前記収集期限を示す情報に基づき、前記収集期限が経過した前記部分情報または該部分情報を含む画像ログ情報を優先的に選択する構成とすることができる。
【００１８】
係る構成によれば、収集されるべき前記部分情報または該部分情報を含む画像ログ情報であって、未だ収集されていない前記部分情報または該部分情報を含む画像ログ情報を優先的に収集することができる。
【００１９】
また、前記ログ情報管理装置は、所定の情報に基づき、前記部分情報または該部分情報が含まれる画像ログ情報を収集する前記ログ情報収集装置の順序を決定する構成としても良い。
【００２０】
また、前記所定の情報は、前記ログ情報収集装置の装置状態に係る情報である構成としても良い。
【００２１】
係る構成によれば、前記ログ情報収集装置の状態に応じて、効率的に情報を収集することができる。
【００２２】
本発明のログ情報収集装置は、画像形成装置により生成された画像ログ情報を収集するログ情報収集装置において、収集した前記画像ログ情報から、所定条件に基づき管理対象となる前記画像ログ情報の一部である部分情報を抽出する抽出手段と、前記所定条件は前記部分情報の重要度に関する条件であって、前記所定条件を設定する設定手段と、前記抽出手段により抽出された前記部分情報に対し、前記設定手段により設定された前記所定条件に基づき前記部分情報の重要度を示す情報を付加する加工手段とを有する構成とすることができる。
【００２３】
係る構成によれば、より重要な前記部分情報から順に前記ログ情報管理装置へ送出することができる。
【００２４】
また、本発明のログ情報収集装置は、前記加工手段により付加された前記前記部分情報の重要度を示す情報に基づき、該部分情報を含む前記画像ログ情報の重要度を決定する構成とすることができる。
【００２５】
係る構成によれば、より重要な前記画像ログ情報から順に前記ログ情報管理装置へ送出することができる。
【００２６】
本発明のログ情報管理装置は、ログ情報収集装置に収集された画像ログ情報を管理するログ情報管理装置において、前記ログ情報収集装置に収集された前記画像ログ情報から抽出された、管理対象となる前記画像ログ情報の一部である部分情報または該部分情報を含む前記画像ログ情報の重要度に関する所定条件を設定する設定手段と、前記部分情報または該部分情報を含む画像ログ情報から、前記所定条件に基づき前記部分情報または該部分情報を含む画像ログ情報を選択する選択手段と、前記選択手段により選択された前記部分情報または該部分情報を含む画像ログ情報を収集する収集手段とを有する構成とすることができる。
【００２７】
係る構成によれば、より重要な前記部分情報または該部分情報を含む画像ログ情報を速やかに収集することができる。
【００２８】
本発明のログ情報収集方法は、画像形成装置により生成された画像ログ情報を収集するログ情報収集装置と、前記ログ情報収集装置が収集した前記画像ログ情報を管理するログ情報管理装置とからなるログ情報管理システムにおけるログ情報管理方法において、前記ログ情報収集装置による、収集した前記画像ログ情報から、第一の所定条件に基づき管理対象となる前記画像ログ情報の一部である部分情報を抽出する抽出手順と、ログ情報管理装置による、前記抽出手段により抽出された前記部分情報から、第二の所定条件に基づき前記部分情報または該部分情報を含む画像ログ情報を選択する選択手順と、ログ情報管理装置による、前記選択手順により選択された前記部分情報または該部分情報を含む画像ログ情報を収集する収集手順を有する方法とすることができる。
【００２９】
係る方法によれば、管理対象となる情報のデータ量を削減しつつ、管理対象となる情報を速やかに管理下におくことが可能となる。
【００３０】
本発明のログ情報収集プログラムは、画像形成装置により生成された画像ログ情報を収集するログ情報収集装置におけるログ情報収集プログラムであって、コンピュータに、所定条件に基づき前記画像ログ情報の一部である部分情報を抽出する抽出手順と、前記所定条件は前記部分情報の重要度に関する条件であって、前記所定条件を設定する設定手順と、前記抽出手順により抽出された前記部分情報に対し、前記所定条件に基づき前記部分情報の重要度を示す情報を付加する加工手順とを実行させるプログラムとすることができる。
【００３１】
係るプログラムによれば、より重要な前記部分情報から順に前記ログ情報管理装置側へ送出することができる。
【００３２】
また、本発明の記憶媒体は、上記のログ情報収集プログラムを記憶したコンピュータ読み取り可能な記憶媒体である。
【発明の効果】
【００３３】
本発明によれば、管理対象となる情報のデータ量を削減しつつ、管理対象となる情報を速やかに管理下におくことが可能となる。
【発明を実施するための最良の形態】
【００３４】
本発明では、ログ情報収集装置において収集された画像ログ情報から、抽出手段により管理対象となり得る前記画像ログ情報の一部である部分情報を抽出する。また、ログ情報管理装置では、選択手段により、ログ情報収集装置の抽出手段に抽出された部分情報の中から、管理対象となる前記部分情報を選択する。そして、ログ情報管理装置は、収集手段により、選択された部分情報またはこの部分情報を含む画像ログ情報を収集して管理する。
【実施例１】
【００３５】
以下に図面を参照して本発明の実施例１について説明する。図１はログ情報管理システム１００の構成の一例を説明する図である。
【００３６】
ログ情報管理システム１００は、ログ情報管理装置４００、ログ情報収集装置３００、
３００Ａ、画像形成装置２１０、２１０Ａ、２２０、２２０Ａ、２３０、２３０Ａ、印刷要求端末２４０、２４０Ａが、それぞれネットワークを介して接続されて構成されている。
【００３７】
ログ情報管理システム１００では、印刷要求端末２４０により生成された印刷要求指示に基づき、画像形成装置２１０、２２０、２３０のいずれかにおいて印刷処理が実行される。そして、印刷処理を行った画像形成装置は、この印刷処理の履歴情報である印刷ログと、印刷されて出力された画像データとからなる画像ログ情報を生成する。ログ情報収集装置３００は、この画像ログ情報を収集する。
【００３８】
ログ情報収集装置３００では、収集した画像ログ情報から、後述するように、管理対象となり得る情報を抽出し、抽出されなかった情報をログ情報収集装置３００内のデータ格納部へ格納する。ログ情報管理装置４００は、ログ情報収集装置３００で抽出された情報の中から、後述するように重要度の高い情報を選択して収集し、ログ情報管理装置４００内のデータ格納部へ格納する。
【００３９】
ログ情報収集装置３００Ａ、画像形成装置２１０Ａ、２２０Ａ、２３０Ａ、印刷要求端末２４０Ａにおいても、上述したログ情報収集装置３００、画像形成装置２１０、２２０、２３０、印刷要求端末２４０における動作と同様であるから、以下では主にログ情報管理装置４００、ログ情報収集装置３００、画像形成装置２１０、２２０、２３０、印刷要求端末２４０における動作について説明する。
【００４０】
図２は、ログ情報管理システム１００の機能構成の一例を説明する図である。
【００４１】
画像形成装置２１０、２２０、２３０は、印刷要求端末２４０より印刷要求指示を受けると、例えばユーザにより印刷要求端末２４０で作成された印刷データとなる画像データを印刷する処理を実行する。そして、画像形成装置２１０、２２０、２３０では、印刷処理の実行の際に印刷処理の履歴に関する印刷ログを生成し、これを印刷データである画像データに付加した画像ログ情報を生成する。画像形成装置２１０、２２０、２３０では、印刷処理を実行する度に、この画像ログ情報を生成している。
【００４２】
ここで、画像形成装置２１０、２２０、２３０は、例えば印刷機能の他にもスキャン機能やコピー機能、ＦＡＸ機能などを有する複合機であっても良いし、印刷機能のみを有するレーザプリンタなどでもよく、印刷要求端末２４０より印刷要求指示による印刷処理を実行可能であれば良い。また、印刷要求端末２４０は、例えば入力装置と表示装置を備えるコンピュータなどであり、ユーザにより印刷データとなる画像データが作成され、画像形成装置に対する印刷指示を出す。
【００４３】
ログ情報収集装置３００は、画像形装置２１０、２２０、２３０、２４０で生成された画像ログ情報を収集する。ログ情報収集装置３００は、例えばＣＰＵ等の制御手段とメモリ等の記憶手段を有するコンピュータ等であっても良い。ログ情報収集装置３００は、設定部３１０、記憶部３２０、収集部３３０、抽出部３４０、加工部３５０、データ格納部３７０を備えている。
【００４４】
設定部３１０では、ログ情報収集装置３００において予め設定されるユーザ定義などの条件を設定する。設定部３１０は、例えばキーボードなどの入力手段であっても良い。設定部３１０において設定される条件については後に詳細に述べる。記憶部３２０は、設定部３１０で設定された条件が記憶されるメモリなどである。記憶部３２０では、その他にもログ情報収集装置３００において実行される演算処理の処理結果などが一時的に保持されても良い。
【００４５】
収集部３３０は、画像形成装置２１０、２２０、２３０において生成された画像ログ情報を収集する。抽出部３４０は、設定部３１０により設定された条件に基づき、収集部３３０により収集された画像ログ情報から、画像ログ情報の一部である部分情報を抽出する。ここで、本実施例では、画像ログ情報から抽出された部分情報をログアイテムと呼ぶ。ログアイテムについては、後に詳細に述べる。
【００４６】
加工部３５０は、抽出部３４０で抽出されたログアイテムに対し、設定部３１０で設定された条件に基づいて加工を施す。データ格納部３７０は、抽出部３４０において部分情報が抽出された後の画像ログ情報や、ログ情報管理装置４００に収集されなかったログアイテムが格納される。
【００４７】
ログ情報管理装置４００は、ログ情報収集装置３００において収集された画像ログ情報のうち、管理対象となる情報を収集して格納する。ログ情報管理装置４００も、ログ情報収集装置３００と同様に、例えばＣＰＵ等の制御手段とメモリ等の記憶手段を有するコンピュータ等であっても良い。ログ情報管理装置４００は、設定部４１０、記憶部４２０、選択部４３０、収集部４４０、検出部４５０、データ格納部４７０を備えている。
【００４８】
設定部４１０は、ログ情報管理装置４００において予め設定されるユーザ定義などの条件を設定する。設定部４１０は、例えばキーボードなどの入力手段であっても良い。設定部４１０において設定される条件については後に詳細に述べる。記憶部４２０は、設定部４１０で設定された条件が記憶されるメモリなどである。記憶部４２０では、その他にもログ情報管理装置４００において実行される演算処理の処理結果などが一時的に保持されても良い。
【００４９】
選択部４３０は、設定部４１０で設定された条件に基づき、ログ情報収集装置３００の抽出部３４０により抽出されたログアイテムの中から管理対象としてログ情報管理装置４００に収集するログアイテムを選択する。収集部４４０は、選択部４３０により選択されたログアイテムをログ情報収集装置３００より収集する。検出部４５０は、ログ情報管理装置４００に接続されたログ情報収集装置の装置状態を検出する。検出部４５０については実施例２で詳細に説明する。
【００５０】
データ格納部４７０は、収集部４４０により収集されたログアイテムを格納する。ここで、ログ情報管理装置４００は例えばディスプレイなどの図示しない表示手段を有し、この表示手段においてデータ格納部４７０に格納された情報が閲覧可能となっていても良い。また、ログ情報管理装置４００は例えばキーボードなどの図示しない入力手段を有し、データ格納部４７０に格納された情報は、この入力手段により入力された任意のキーワードなどにより検索可能であっても良い。
【００５１】
次に、図３を参照して、ログ情報収集装置３００における部分情報の抽出について説明する。図３は、ログ情報収集装置３００における部分情報の抽出について説明する図の例である。
【００５２】
抽出部３４０では、設定部３１０において設定された条件に基づいてログアイテムの抽出を行う。ここで設定部３１０において設定された条件を第一の所定条件と言い、この第一の所定条件について以下に説明する。
【００５３】
第一の所定条件は、設定部３１０により、ログ情報管理システム１００の管理者などにより予め設定される。本実施例における第一の所定条件は、画像ログ情報に含まれる情報の中で、セキュリティ上重要であり、管理・保護対象となる情報を抽出するための条件である。
【００５４】
例えば第一の所定条件において、管理・保護対象となる情報がテキストデータであることが設定されていた場合、ログ情報収集装置３００は、画像ログ情報に含まれる画像データにＯＣＲ(Optical Character Reader)処理を施し、抽出部３４０は、その結果をログアイテムとして抽出しても良い。
【００５５】
この他にも、例えば第一の所定条件に住所が記載された表が設定されていた場合は、抽出部３４０は、画像ログ情報より該当する表のみを抽出してログアイテムとする。この第一の所定条件は、例えば設計図やサムネイルなどの図、頻出する語句などであっても良い。
【００５６】
また、第一の所定条件には、複数の項目が設定されていても良く、さらに第一の所定条件には、この複数の項目の重要度が設定されていても良い。例えば第一の所定条件に、「テキストデータ」「表」「図」の３つの項目が設定され、この３つの項目の重要度が「図」、「テキストデータ」、「表」の順に設定されていた場合について説明する。
【００５７】
抽出部３４０は、この第一の所定条件に基づき、画像ログ情報よりテキストデータを抽出する。この「テキストデータ」という条件に基づいて抽出されたログアイテムを例えば図３に示すログアイテム１とする。同様に抽出部３４０により「表」という条件に基づいて抽出されたログアイテムをログアイテム２とする。そして、抽出部３４０により、「図」という条件に基づいて抽出されたログアイテムをログアイテム３とする。
【００５８】
ここで、加工部３５０は、第一の所定条件で設定された重要度に基づき、抽出された各ログアイテムに重要を示す情報を付加する処理を実行する。よって、ここでは、最も重要なログアイテムは、「図」を抽出したログアイテム３であり、「テキストデータ」を抽出したログアイテム１、「表」を抽出したログアイテム２の順に加工部３５０により重要度を示す情報が付加される。
【００５９】
ログ情報管理装置４００は、加工部３５０により付加された重要度と、ログ情報管理装置４００の設定部４１０において設定された条件に基づき、より重要度の高いログアイテムを選択して収集する。
【００６０】
ここで、設定部４１０において設定される条件を第二の所定条件と言う。第二の所定条件は、設定部４１０により、ログ情報管理システム１００の管理者などにより予め設定される。本実施例における第二の所定条件は、ログ情報管理装置４００の収集対象となるログアイテムまたはこのログアイテムを含む画像ログ情報の重要度に関する条件である。
【００６１】
例えば、第二の所定条件において、収集対象となるログアイテムが、最も重要度の高いログアイテムと設定されていた場合、ログ情報収集装置３００において重要度を示す情報が付加されログアイテムのうち、最も重要度の高いログアイテムのみが選択部４３０により選択されて、収集部４４０により収集される。
【００６２】
図４は、ログ情報管理装置４００によるログアイテムの収集を説明する図の例である。ログ情報収集装置３００において、抽出部３４０により、画像ログ情報Ａから７つのログアイテムが抽出され、加工部３５０により重要度を示す情報が付加されている。ログ情報管理装置４００では、第二の所定条件として最も重要度の高いログアイテム及びその次に重要度の高いログアイテムと設定されていたとする。
【００６３】
この場合、選択部３５０は、ログ情報収集装置３００において重要度を示す情報が付加されたログアイテムのうち、最も重要度の高い（重要度Ａ）ログアイテム３と、次に重要度の高い（重要度Ｂ）ログアイテム２、ログアイテム５を選択する。そして、収集部４４０は、このログアイテム３、ログアイテム２、ログアイテム５を収集し、データ格納部４７０へ格納する。
【００６４】
ここで、ログ情報収集装置３００では、データ格納部３７０に７つのログアイテムが抽出された後の画像ログ情報Ａが格納されて保管される。また、このとき、ログ情報管理装置４００に収集されずに残された４つのログアイテムをデータ格納部３７０に格納して保管しても良い。
【００６５】
ログ情報管理システム１００では、このように、画像ログ情報の中からセキュリティ上重要であり、管理・保護の対象となり得る情報をログアイテムとして抽出し、このログアイテムの中から管理・保護対象となるログアイテムを選択し収集して管理することで、管理対象となるデータ量の削減し、通信時の負荷の軽減を実現している。
【００６６】
また、本実施例では、ログ情報収集装置３００における第一の所定条件が設定部３１０により変更された場合、加工部３５０は各ログアイテムに付加した重要度を示す情報を変更することができる。
【００６７】
図５は、第一の所定条件が変更された場合を説明する図の例である。例えば図５に示すように、第一の所定条件が変更される前は、ログアイテム３が重要度Ａとされていた。ここで、第一の所定条件がこれまで重要度Ｃであったログアイテムを重要度Ａとするように変更されると、加工部３５０は変更後の第一の所定条件にあわせて各ログアイテムに重要度を示す情報を付加し直す。この場合、図５に示すように変更前は重要度Ｃであったログアイテム４、ログアイテム１の重要度が重要度Ａに変更される。
【００６８】
このように、設定部３１０により第一の所定条件を任意に変更可能とすれば、この第一の所定条件をログ情報収集装置固有の設定条件とすることができる。すなわち、ログ情報収集装置の利用環境などを考慮してログアイテムを抽出することができる。
【００６９】
また、本実施例では、例えばログ情報管理装置４００における第二の所定条件が設定部４１０により変更された場合、変更後の第二の所定条件にあわせて再度ログアイテムを選択し収集することができる。
【００７０】
図６は、第二の所定条件が変更された場合を説明する図の例である。図６に示すように、変更前の第二の所定条件において「重要度Ａ、重要度Ｂのログアイテム」と設定されていたとする。この第二の所定条件が、「重要度Ａ、重要度Ｂ、重要度Ｃのログアイテム」という設定に変更された場合、選択部４３０は、ログ情報収集装置３００に保持されたログアイテムの中からさらに重要度Ｃのログアイテムを選択する。そして、収集部４４０はこれを収集する。
【００７１】
尚ここで、ログ情報収集装置３００において抽出された各ログアイテムには、このログアイテムの抽出元となる画像ログ情報Ａを識別するための識別情報が含まれている。選択部４３０は、変更前の第二の所定条件に基づき収集されたログアイテムに含まれる識別情報に基づき、ログ情報収集装置３００に保持されている画像ログ情報Ａから抽出されたその他のログアイテムを識別して選択することができる。
【００７２】
係る構成であれば、例えばログ情報管理システム１００における安全面の強化として、第二の所定条件の変更があった場合でも柔軟に対応することができる。
【００７３】
また、ログ情報管理装置４００では、図７に示すように、任意のタイミングでログ情報収集装置３００に残されているログアイテムを参照することができる。図７は、ログ情報収集装置３００に残されているログアイテムの参照を説明する図の例である。
【００７４】
このときも、上述したように、ログ情報管理装置４００は、収集したログアイテムに含まれる、画像ログ情報Ａを示す識別情報から、ログ情報収集装置３００において保持されている画像ログ情報Ａから抽出されたその他のログアイテムを識別して参照することができる。
【００７５】
また、ログ情報管理装置４００では、例えば第二の所定条件が変更されなかった場合でも、ログ情報管理システム１００の管理者などにより発せられた収集要求や参照要求に基づき、ログ情報収集装置３００において保持されているログアイテムを収集、参照しても良い。
【００７６】
また、ログ情報収集装置３００に抽出されたログアイテムのうち、ログ情報管理装置４００による収集対象となるログアイテムに、収集期限を示す情報が付加されても良い。図８は、ログアイテムの収集期限と重要度について説明する図の例である。
【００７７】
図８な示す例では、第二の所定条件が「重要度Ａ及び重要度Ｂのログアイテム」となっている。そして、ログ情報収集装置３００おいて、第二の所定条件を満たし、ログ情報管理装置４００の収集対象となる３つのログアイテムのうち、２つのログアイテムが既にログ情報管理装置４００へ収集された状態となっている。
【００７８】
ここで、ログ情報収集装置３００は、ログ情報管理装置４００で設定された第二の所定条件を参照し、ログ情報収集装置３００に保持されているログアイテムの中から、第二の所定条件を満たし、ログ情報管理装置４００への収集対象となるログアイテム、すなわち重要度Ａまたは重要度Ｂのログアイテムを識別する。
【００７９】
図８の示す場合では、ログアイテム２が該当するログアイテムとして識別される。そこで、加工部３５０は、ログアイテム２がログ情報管理装置４００に収集される収集期限を示す情報をログアイテム２に付加する。尚ここで、収集期限は設定部３１０により予め設定されていても良い。
【００８０】
そして、ログ情報収集装置３００において、この収集期限が経過して尚このログアイテム２がログ情報管理装置４００に収集されずに保持されている場合、加工部３５０は、ログアイテム２の重要度を重要度Ｂから重要度Ａに変更する。
【００８１】
係る構成によれば、ログ情報収集装置３００において、新規のログアイテムの生成等により、本来収集されるべきログアイテムがログ情報収集装置３００上に保持されたままの状態が続いた場合でも、収集期限の過ぎたログアイテムから優先的にログ情報管理装置４００に収集することができる。
【００８２】
尚ここでは、ログ情報収集装置３００において抽出され、かつログ情報管理装置４００の収集対象となるログアイテムにのみ収集期限を示す情報を付加したが、ログ情報収集装置３００において抽出されたログアイテム全てに収集期限を示す情報を付加しても良い。その場合、例えば第一の所定条件を、この収集期限に基づく設定としても良く、例えば収集期限がより近いログアイテムから優先的に高い重要度を示す情報を付加しても良い。
【００８３】
以上に説明したように、本実施例では画像ログ情報の一部であって、管理・保護対象となる部分情報を用いて画像ログ情報の管理を行うため、ログ情報管理システム１００において管理対象となる情報量を削減することができる。また、管理対象となる情報量を削減することにより、この情報をログ情報管理システム上で取り扱う際の通信回線に係る負荷が軽減させる。よって、ログ情報管理システム１００では、より速やかに効率良く管理・保護対象となる情報を管理下におくことができる。このため、情報の漏洩が発生した場合でも、情報漏洩を素早く検知することができる。
【実施例２】
【００８４】
以下に図面を参照して本発明の実施例２について説明する。本発明の実施例２におけるログ情報管理システム１００の構成は、実施例１と同様であるので説明を省略する。本発明の実施例２は、ログ情報管理装置４００に収集される情報が、ログアイテムではなく画像ログ情報である点で実施例１と異なる。
【００８５】
すなわち、実施例２のログ情報管理装置４００の選択部４３０は、ログ情報収集装置３００の収集した画像ログ情報を選択するものであり、収集部４４０は、選択部４３０が選択した画像ログ情報を収集する。
【００８６】
実施例２において、ログ情報管理装置４００に収集される画像ログ情報は、ログ情報収集装置３００において、実施例１で説明したログアイテムに付加された重要度を示す情報に基づき決定される。
【００８７】
図９は、ログ情報管理装置４００による画像ログ情報の収集を説明する図の例である。図９の状態では、ログ情報収集装置３００において収集された画像ログ情報Ａ、画像ログ情報Ｂから、抽出部３４０によりそれぞれ７つのログアイテムが抽出されている。そして、加工部３５０により、各ログアイテムに、第一の所定条件に基づき重要度を示す情報が付加されている。
【００８８】
画像ログ情報Ａから抽出された各ログアイテムの重要度は、ログアイテムＡ３は重要度Ａ、ログアイテムＡ２、ログアイテムＡ５は重要度Ｂ、ログアイテムＡ１、ログアイテムＡ４、ログアイテムＡ６、ログアイテムＡ７は重要度Ｃ、となっている。また、画像ログ情報Ｂから抽出された各ログアイテムの重要度は、ログアイテムＢ２、ログアイテムＢ４、ログアイテムＢ６、ログアイテムＢ７は重要度Ａ、ログアイテムＢ１、ログアイテムＢ３、ログアイテムＢ５は重要度Ｂとなっている。
【００８９】
ここで画像ログ情報Ａと画像ログ情報Ｂを比較すると、画像ログ情報Ｂの方が画像ログ情報Ａに比べて重要度が高いログアイテムが含まれている。よって、ログ情報収集装置３００では、画像ログ情報Ｂを最も重要度の高い画像ログ情報と決定する。
【００９０】
ログ情報管理装置４００の選択部４３０は、予め設定された第二の所定条件に基づき、収集対象となる画像ログ情報を選択する。第二の所定条件では、画像ログ情報に関する重要度について定めている。本実施例では、第二の所定条件は、例えば「最も重要度の高い画像ログ情報」と設定されていても良いし、例えば「重要度ａのログアイテムを３つ以上、重要度Ｂのログアイテムを２つ以上含む画像ログ情報」などと設定されていても良い。
【００９１】
本実施例においては、第二の所定条件を「最も重要度の高い画像ログ情報」とした。よって、選択部４３０は第二の所定条件に基づき、ログ情報収集装置３００において最も重要度が高い画像ログ情報Ｂを選択する。そして、収集部４４０はこの画像ログ情報Ｂを収集してデータ格納部４７０へ格納する。
【００９２】
このように、画像ログ情報から抽出されたログアイテムの重要度に基づいて、画像ログ情報の重要度を決定することにより、より重要度の高い画像ログ情報のみを効率的に管理・保護することができる。また、このように重要度の高い画像ログ情報のみをログ情報管理システム１００上で取り扱うようにすれば、ログ情報管理システム１００の通信回線の負荷を軽減することができ、より速やかに重要度の高い画像ログ情報をログ情報管理装置の管理下におくことが可能となる。このため、情報の漏洩が発生した場合でも、ログ情報管理装置４００において情報漏洩を素早く検知することができる。
【００９３】
次に、ログ情報収集装置３００における画像ログ情報の重要度の決定について具体的に説明する。図１０は、画像ログ情報の重要度の決定について説明する図の例である。
【００９４】
本実施例のログ情報収集装置３００では、画像形成装置より収集した各画像ログ情報に対し、各画像ログ情報から抽出されたログアイテムに付加された重要度に基づき点数をつけ、この点数の合計点で各画像ログ情報の重要度を決定している。
【００９５】
ログ情報収集装置３００において、例えば重要度Ａのログアイテム１つにつき１００点、重要度Ｂのログアイテム１つにつき８０点、重要度Ｃのログアイテム１つにつき６０点、というように、各ログアイテムの重要度に応じた点数を予め設定しておく。ここで、この点数に関する設定は、設定部３１０により設定されても良く、この設定値は記憶部３２０に格納されていても良い。
【００９６】
ログ情報収集装置３００では、この点数設定に基づき、画像ログ情報毎に、抽出されたログアイテムの点数を加算する処理を行い、この加算結果を画像ログ情報の点数とした。尚、本実施例では画像ログ情報の点数が高いものほど重要度の高い画像ログ情報とされる。
【００９７】
図１０に示すように、例えば画像ログ情報Ａは、重要度Ａのログアイテムを１つ、重要度Ｂのログアイテムを２つ、重要度Ｃのログアイテムを４つ含んでいる。画像ログ情報Ａの点数は、これらの各ログアイテムの点数の合計であるから、１００点×１と８０点×２と６０点×４との合計点となり、５００点となる。
【００９８】
画像ログ情報Ｂも同様に、重要度Ａのログアイテムを４つ、重要度Ｂのログアイテムを３つ含んでいる。よって画像ログ情報Ｂの点数は、１００点×４と８０点×３との合計点の６４０点となる。これより明らかなように、画像ログ情報Ｂの点数の方が、画像ログ情報Ａの点数より高いため、ログ情報収集装置３００は、画像ログ情報Ｂをより重要度の高い画像ログ情報と判断することができる。
【００９９】
また、このような演算処理によれば、例えばログ情報収集装置３００において、第一の所定条件の変更により、ログアイテムに付加する重要度の設定が変更された場合でも図１０で説明した処理と同様に画像ログ情報の重要度を決定できる。
【０１００】
図１１は、ログアイテムの重要度の設定が変更した場合の画像ログ情報の重要度の決定について説明する図の例である。ここでは、例えば図１０において重要度Ａとされていたログアイテムの重要度が重要度Ｃに変更され、重要度Ｃとされていたログアイテムの重要度が重要度Ａに変更されたとする。
【０１０１】
すると、画像ログ情報Ａの点数は、１００点×４と、８０点×２と、６０点×１の合計点となり、６２０点となる。そして、画像ログ情報Ｂの点数は、８０点×３と６０点×４の合計点となり、４８０点となる。よって、変更後の第一の所定条件によれば、より重要度の高い画像ログ情報は、画像ログ情報Ａとなる。
【０１０２】
このように、ログ情報収集装置３００において、第一の所定条件を変更することにより、ログ情報収集装置３００において重要度の高い画像ログ情報とされる情報を変更することが可能である。よって、ログ情報収集装置３００に接続された画像形成装置の利用環境などに応じて、適切な画像ログ情報を重要度の高い情報とすることが可能となる。このため、効率よく速やかに重要度の高い情報をログ情報管理装置４００の管理下に置くことが可能となる。
【０１０３】
また、本実施例の設定部３１０では、ログ情報収集装置３００に収集された画像ログ情報のうち、ログ情報管理装置４００の収集対象となる画像ログ情報に対し、画像ログ情報が収集されるまでの収集期限を示す情報を設定可能であっても良い。この収集期限が設定されると、加工部３５０は、該当する画像ログ情報に収集期限を示す情報を付加する。そして、ログ情報収集装置３００は、この収集期限が経過した後、なお収集されずにログ情報収集装置３００に保持されている画像ログ情報の重要度を変更させても良い。
【０１０４】
図１２は、画像ログ情報の収集期限を説明する図の例である。ログ情報収集装置３００において、ログ情報管理装置４００の収集対象であり、重要度Ｂとされた画像ログ情報Ｂに対して設定部３１０により収集期限が設定される。なお、この収集期限は、例えばログ情報管理システム１００の管理者などにより設定されても良い。そして、加工部３５０により、画像ログ情報Ｂに対し、画像ログ情報Ｂの収集期限を示す情報が付加される。
【０１０５】
ログ情報収集装置３００では、画像ログ情報Ｂの収集期限が経過すると、その重要度を重要度Ａに変更する。すると、画像ログ情報Ｂはログ情報管理装置４００に優先的に収集されるようになる。
【０１０６】
係る構成によれば、例えばログ情報収集装置３００において新たに画像ログ情報が蓄積されていった場合でも、収集されるべき画像ログ情報がログ情報管理装置４００に収集されずにログ情報収集装置３００へ残されるという状態を回避することができる。
【０１０７】
次に本発明のログ情報管理システム１００において、ログ情報管理装置４００に複数台のログ情報収集装置が接続された場合について説明する。図１３は、ログ情報管理装置４００に複数のログ情報収集装置が接続された場合を説明する図の例である。
【０１０８】
図１３に示すログ情報管理システム１００では、ログ情報管理装置４００に対し、３台のログ情報収集装置３００、３００Ａ、３００Ｂが接続されている。ログ情報収集装置３００Ａ、３００Ｂは、上で説明したログ情報収集装置３００と同様の構成であるから説明を省略する。
【０１０９】
ログ情報管理装置４００は、ログ情報管理装置４００に接続された複数のログ情報収集装置から、各ログ情報収集装置の装置状態に基づき、ログアイテムまたは画像ログ情報を収集する順序を決定する。そして、この決定された順序に従って、ログ情報収集装置にアクセスし、ログアイテムまたは画像ログ情報の収集を行う。
【０１１０】
ログ情報管理装置４００の有する検出部４５０は、ログ情報収集装置の装置状態を検出する。なお、ここで言う装置状態とは、例えばログ情報収集装置の有するデータ格納部の空き容量の状態、ログ情報収集装置に蓄積された画像ログ情報のうち、重要度の高い画像ログ情報の蓄積量の状態、ログ情報収集装置に接続された画像形成装置の設置場所等の利用環境の状態などを意味している。
【０１１１】
以下に、図１３に示すログ情報管理装置４００におけるログ情報収集装置からの情報収集の順序決定について説明する。
【０１１２】
例えば、ログ情報管理装置４００において、ログ情報収集装置に備えられたデータ格納部の空き容量が小さい順に情報を収集するように設定されていたとする。ここで、この設定はログ情報管理システム１００の管理者などにより設定部４１０において予め設定され、この設定情報が記憶部４２０に格納されていても良い。
【０１１３】
ログ情報管理装置４００は、この設定情報に基づき検出部４５０に各ログ情報収集装置のデータ格納部の空き容量を検出させる。そして、検出部４５０の検出結果に基づき情報を収集するログ情報収集装置の順序を決定する。
【０１１４】
例えば図１３において、検出された各ログ情報収集装置のデータ格納部の空き容量のうち、ログ情報収集装置３００Ａのデータ格納部の空き容量が最も小さい場合、ログ情報管理装置４００は、まずログ情報収集装置３００Ａにアクセスする。そして、ログ情報収集装置３００Ａに蓄積された情報のうち、ログ情報管理装置４００の収集対象であるログアイテム、またはこのログアイテムを含む画像ログ情報を収集する。
【０１１５】
そして、次にデータ格納部の空き容量の小さいログ情報収集装置が、ログ情報収集装置３００Ｂであった場合には、ログ情報収集装置３００Ａにおける収集処理が終了した後、次にログ情報収集装置３００Ｂへアクセスし、ログ情報収集装置３００Ｂにおいて同様に収集処理を行う。
【０１１６】
このようにすれば、ログ情報収集装置においてデータ格納部の空き容量不足となることがなく、ログ情報収集装置において、空き容量不足のために画像ログ情報が収集できなくなる事態を回避できる。
【０１１７】
また、ログ情報管理装置４００において、例えばログ情報収集装置に蓄積された情報のうち、重要度の高い情報の蓄積量が大きい順に情報を収集するように設定されていたとする。
【０１１８】
すると、ログ情報管理装置４００は、検出部４５０に、各ログ情報収集装置に蓄積された重要度の高い情報の蓄積量を検出させる。ここで例えばログ情報収集装置３００のデータ格納部３７０に最も多くの重要度の高い情報が蓄積されていた場合、ログ情報管理装置４００は、最初にログ情報収集装置３００にアクセスし、ログ情報管理装置４００の収集対象となる情報を収集する。そして、ログ情報管理装置４００は、ログ情報収集装置３００での収集処理を終了すると、次に重要度の高い情報の蓄積量が多いとされているログ情報収集装置へアクセスして収集処理を実行する。
【０１１９】
このようにすれば、より重要度の高い情報を効率的に収集することができ、より速やかに重要度の高い情報をログ情報管理装置４００の管理下におくことができる。
【０１２０】
また、ログ情報管理装置４００において、例えばログ情報収集装置に接続された画像形成装置の設置場所等の利用環境に基づき情報を収集するように設定されていたとする。このときの設置場所について具体的に説明する。
【０１２１】
画像形成装置は、その設置場所によって取り扱う情報の種類に差異が生じる場合がある。例えば会議室などに設置された画像形成装置では、会議の際に使用する機密性の高い重要な情報が取り扱われることが想定される。また、人事部に設置された画像形成装置では、個人情報を含み保護対象となる情報が取り扱われることが想定される。
【０１２２】
このように、機密性の高い重要な情報が取り扱われることが想定される場所に設置された画像形成装置では、ログ情報管理装置４００の収集対象となる重要度の高い画像ログ情報が生成される可能性が高い。よって、このような場所に設置された画像形成装置が接続されたログ情報収集装置では、保護対象となる重要度の高い情報が収集される可能性が高くなる。
【０１２３】
そこで、ログ情報管理装置４００は、検出部４５０に、各ログ情報収集装置に接続された画像形成装置の設置場所を検出させる。なお、画像形成装置の設置場所は、ログ情報収集装置が取得する画像形成装置のＩＰアドレスなどにより検出しても良い。また、ログ情報管理装置４００において、設置場所ごとに重要度が予め設定されていることが好ましい。例えば最も重要度が高い設置場所を人事部、次に重要度が高い場所を会議室、などとしても良い。
【０１２４】
ここで検出部４５０は、例えばログ情報収集装置３００Ｂに接続された画像形成装置の設置場所が人事部であることを検出する。すると、ログ情報管理装置４００は、最初にログ情報収集装置３００Ｂに蓄積された、ログ情報管理装置４００の収集対象である情報を収集する。そして、ログ情報収集装置３００Ｂでの収集処理が終了すると、ログ情報管理装置４００は、次に重要度の高い設置場所にある画像形成装置と接続されたログ情報収集装置にアクセスし収集処理を実行する。
【０１２５】
このようにすれば、より重要度の高い情報を効率的に収集することができ、より速やかに重要度の高い情報をログ情報管理装置４００の管理下におくことができる。
【０１２６】
また、以上に説明した実施例における各機能を実現する手順は、コンピュータに読み取り可能な画像形成プログラムとして記憶媒体に記録されていても良い。
【０１２７】
図１４は実施例で説明した各機能を実現させるログ情報収集プログラムが記録された記憶媒体を説明する図の例である。記憶媒体６００に記録されたプログラムが、コンピュータ５００に読み込まれて実行されることにより、本実施例で説明した各機能を実現することができる。
【０１２８】
例えばコンピュータ５００は、ＣＰＵ５１０、ハードディスク５２０、メモリ５３０、表示部５４０、入力部５５０、通信部５６０、記憶媒体読み込み部５７０を備えている。ＣＰＵ５１０は演算処理装置であって、コンピュータ５００において実行される演算や処理を実行する。ハードディスク５２０は、データを格納する記憶手段であって、コンピュータ５００上で動作するアプリケーションや、このアプリケーションにより作成されたデータなどが格納されている。メモリ５３０には、コンピュータ５００に係る各種の設定値や、ＣＰＵ５１０での演算結果などが格納される。
【０１２９】
表示部５４０はディスプレイなどであり、コンピュータ５００において作成されたデータなどをユーザに閲覧可能に表示する。入力部５５０は例えばキーボードやマウスであって、ユーザの操作により各種データが入力される。通信部５６０は例えばネットワークコントロールユニットなどであり、コンピュータ５００が外部の装置と通信を行うためのものである。記憶媒体読み込み部５７０は、各種記憶媒体に記録されたデータやプログラムなどを読み込むものであり、例えばフロッピー（登録商標）ディスクドライバなどである。
【０１３０】
記憶媒体６００は、本実施例の各機能を実現させるログ情報収集プログラム６１０が記録されている。このログ情報収集プログラム６１０は、記憶媒体読み込み部５７０により読み込まれてＣＰＵ５１０において実行される。記憶媒体６００は、例えばフロッピー（登録商標）ディスクやＣＤ−ＲＯＭ（Compact Disk Read Only Memory）等であっても良く、コンピュータ５００において読み取り可能なに媒体であれば良い。また、ログ情報収集プログラム６１０はネットワークを介して通信部５６０により受信されて、ハードディスク５２０等に格納されても良い。
【０１３１】
以上、各実施例に基づき本発明の説明を行ってきたが、上記実施例に示した要件に本発明が限定されるものではない。これらの点に関しては、本発明の主旨をそこなわない範囲で変更することができ、その応用形態に応じて適切に定めることができる。
【産業上の利用可能性】
【０１３２】
本発明は、画像形成装置により生成されるログ情報を収集し、管理するログ情報管理システム、ログ情報収集装置、ログ情報管理装置、ログ情報管理方法、ログ情報収集プログラム、記憶媒体に応用可能である。
【図面の簡単な説明】
【０１３３】
【図１】ログ情報管理システム１００の構成の一例を説明する図である。
【図２】ログ情報管理システム１００の機能構成の一例を説明する図である。
【図３】ログ情報収集装置３００における部分情報の抽出について説明する図である。
【図４】ログ情報管理装置４００によるログアイテムの収集を説明する図である。
【図５】第一の所定条件が変更された場合を説明する図である。
【図６】第二の所定条件が変更された場合を説明する図である。
【図７】ログ情報収集装置３００に残されているログアイテムの参照を説明する図である。
【図８】ログアイテムの収集期限と重要度について説明する図である。
【図９】ログ情報管理装置４００による画像ログ情報の収集を説明する図である。
【図１０】画像ログ情報の重要度の決定について説明する図である。
【図１１】ログアイテムの重要度の設定が変更した場合の画像ログ情報の重要度の決定について説明する図である。
【図１２】画像ログ情報の収集期限を説明する図である。
【図１３】ログ情報管理装置４００に複数のログ情報収集装置が接続された場合を説明する図である。
【図１４】実施例で説明した各機能を実現させるログ情報収集プログラムが記録された記憶媒体を説明する図である。
【符号の説明】
【０１３４】
１００  ログ情報管理システム
２１０、２２０、２３０  画像形成装置
２４０  印刷要求端末
３００、３００Ａ、３００Ｂ  ログ情報収集装置
３１０、４１０  設定部
３２０、４２０  記憶部
３３０、４４０  収集部
３４０  抽出部
３５０  加工部
３７０、４７０  データ格納部
４００  ログ情報管理装置
４３０  選択部
４５０  検出部
６００  記憶媒体
６１０  ログ情報収集プログラム
【図１】
2007323593.tif 000003
【図２】
2007323593.tif 000004
【図３】
2007323593.tif 000005
【図４】
2007323593.tif 000006
【図５】
2007323593.tif 000007
【図６】
2007323593.tif 000008
【図７】
2007323593.tif 000009
【図８】
2007323593.tif 000010
【図９】
2007323593.tif 000011
【図１０】
2007323593.tif 000012
【図１１】
2007323593.tif 000013
【図１２】
2007323593.tif 000014
【図１３】
2007323593.tif 000015
【図１４】
2007323593.tif 000016